(57)【特許請求の範囲】
【請求項１】
内底面の略中央に軸受を有するとともに側面から外方へ突出するコネクタ端子を有するコネクタ部を設けた有底筒状のケースと、前記ケースの前記軸受と嵌合するように設けられた軸と、上記軸の先端に設けられ、側面に摺動子を有するとともに前記軸の上方に保持部を有するロータと、このロータの摺動子が摺接する抵抗体を上面に設けかつ前記ケースの内側面に設けられ、前記ケースのコネクタ端子と電気的に接続された抵抗体端子を有する基板と、前記ケースの上面開放部を覆うように設けられた第１のカバーと、一端が前記ロータの保持部で固定されるとともに他端が前記第１のカバーで固定されるスプリングと、前記第１のカバーおよび前記抵抗体の抵抗体端子と前記ケースのコネクタ端子との接続部を覆うように設けた第２のカバーとを備えたポテンショメータ。
【請求項２】
前記第２のカバーに、前記第１のカバーの上面部を保持する突起部を設けた請求項１記載のポテンショメータ。
【発明の詳細な説明】
【０００１】
【発明の属する技術分野】
本発明は、例えば自動車用の排ガス循環装置用バルブのリフト量検出に用いられるポテンショメータに関するものである。
【０００２】
【従来の技術】
従来のポテンショメータは、特開平５−２１５５０７号公報に開示されたものが知られている。以下に、従来のポテンショメータについて図面を参照しながら説明する。
【０００３】
図２は従来のポテンショメータの断面図である。図２において、１はポリブチレンテレフタレート（以下ＰＢＴと略称する）等よりなる樹脂製の有底円筒状のケースであり、内底面の略中央には金属製の軸受２を有している。このケース１の側面には、外方へ突出する金属製のコネクタ端子３を有するコネクタ部４が設けられている。５はＰＢＴ等よりなる樹脂製のロータであり、ケース１の軸受２と嵌合し、かつ前記ケース１の外底面から下方へ突出するように設けられた金属の軸６の先端に設けられている。このロータ５の側面には金属製の摺動子７を有している。また、このロータ５の前記軸６の上方には円柱状の保持部８が設けられている。９は樹脂製の基板であり、前記ロータ５の摺動子７が摺接するように上面に抵抗体（図示せず）が設けられ、前記ケース１の内側面に保持されている。この基板９の一端には前記ケース１のコネクタ端子３と電気的に接続するように設けられた金属製の抵抗体端子１０を有している。１１はＰＢＴ等の樹脂からなるカバーであり、前記ケース１の上面開放部を覆うように設けられている。１２は金属製のスプリングであり、一端が前記ロータ５の保持部８で固定されるとともに、他端が前記カバー１１で固定されている。
【０００４】
以上のように構成されているポテンショメータについて、以下にその組立方法を説明する。予め、軸６と一体に成型されたロータ５の側面に摺動子７を取り付け、当該ロータ５を前記軸６が前記ケース１の軸受２と嵌合するように前記ケース１の内部に装着する。次に前記基板９をケース１の側面に固定する。次に上記スプリング１２の内側面を前記ロータ５の保持部８の外側面と接するように前記ケース１の内部に挿入する。次に、前記基板９の抵抗体端子１０と前記ケース１のコネクタ端子３とを半田付により電気的に接続する。次にカバー１１でケース１の上面開放部を覆うとともに、前記カバー１１と前記ケース１との当接部を電気ゴテ（図示せず）等により溶かしこみ溶着する。最後に前記当接部１３を密封樹脂で密封する。
【０００５】
以上のように組立てられたポテンショメータについて、以下にその動作を説明する。
【０００６】
前記軸６を軸方向へ直線運動させると、その直線運動と一体に摺動子７が変位する。そして摺動子７の変位に応じてコネクタ端子３から出力される信号が変化し、相手側機器（図示せず）に出力される。
【０００７】
【発明が解決しようとする課題】
しかしながら、上記従来のポテンショメータにおいては、抵抗体端子１０とコネクタ端子３との半田付部分が基板９の上方に位置しているため、その半田付時に発生する半田くずが基板９上に飛散し、ポテンショメータの出力精度が劣化してしまうといった課題を有していた。
【０００８】
本発明は、半田くずが基板上に飛散するといったことのない特性の向上したポテンショメータを提供することを目的とするものである。
【０００９】
【課題を解決するための手段】
上記課題を解決するために本発明のポテンショメータは、抵抗体端子とコネクタ端子との接続部を第１のカバーの被覆範囲外に設け、その接続部および前記第１のカバーとを覆うように第２のカバーを設けたものである。
【００１０】
本発明によれば、第１のカバーにより抵抗体を有する基板を覆った状態で抵抗体端子と、コネクタ端子の半田付けが可能であり、基板上に半田くずが飛散することがなく特性の向上したポテンショメータを提供することができる。
【００１１】
【発明の実施の形態】
本発明の請求項１記載の発明は、内底面の略中央に軸受を有するとともに側面から外方へ突出するコネクタ端子を有するコネクタ部を設けた有底筒状のケースと、前記ケースの前記軸受と嵌合するように設けられた軸と、上記軸の先端に設けられ、側面に摺動子を有するとともに前記軸の上方に保持部を有するロータと、このロータの摺動子が摺接する抵抗体を上面に有し、かつ前記ケースの内側面に設けられ、前記ケースのコネクタ端子と電気的に接続された抵抗体端子を有する基板と、前記ケースの上面開放部を覆うように設けられた第１のカバーと、一端が前記ロータの保持部で固定されるとともに他端が前記第１のカバーで固定されるスプリングと、前記第１のカバーおよび前記抵抗体の抵抗体端子と前記ケースのコネクタ端子との接続部を覆うように設けた第２のカバーとを備えたので、半田付け時に第１のカバーにて接続部を覆うことが可能であり、半田くずが基板上に飛散するといったことがないという作用を有する。
【００１２】
本発明の請求項２に記載の発明は、第２のカバーに、第１のカバーの上面部を保持する突起部を設けたので、第２のカバーの突起部が第１のカバーを確実に固定し、第１のカバーが緩んでしまうことがないという作用を有する。
【００１３】
以下に、本発明の一実施の形態におけるポテンショメータを図面を参照しながら説明する。
【００１４】
図１は、本発明の一実施の形態におけるポテンショメータの断面図である。図１において、３１は有底筒状のポリブチレンテレフタレート等の樹脂からなるケースであり、内底面の略中央には金属の軸受３３が設けられている。このケース３１の側面にはコネクタ端子３５を有するコネクタ部３７が外方へ突出するように設けられている。３９はポリブチレンテレフタレート等の樹脂からなるロータであり、前記ケース３１の前記軸受３３と嵌合する軸４０の先端に一体に設けられており、前記ケース３１の下方に突出している。このロータ３９には摺動子４１を側面に固着するとともに、上方には円柱状の保持部４３が設けられている。４５は樹脂製の基板であり、前記ロータ３９の摺動子４１が摺接する抵抗体（図示せず）を有し、前記ケース３１の内側面に設けられている。この基板４５には抵抗体に接続した抵抗体端子４７が設けられ、前記ケース３１のコネクタ端子３５と電気的に接続されている。４９は前記ケース３１の上面開放部を覆うように設けられたポリブチレンテレフタレート等の樹脂からなる第１のカバーであり、抵抗体端子４７とコネクタ端子３５との接続部５５がカバー外方に位置されている。５１は一端を前記ロータ３９の保持部４３で固定するとともに他端を前記第１のカバー４９で固定している金属のスプリングである。５３はポリブチレンテレフタレート等の樹脂からなる第２のカバーであり、前記抵抗体端子４７とコネクタ端子３５との接続部５５および前記第１のカバー４９を覆うように設けられている。この第２のカバー５３の略中央には、前記第１のカバー４９の上面を上方から保持する突起部５７が設けられている。したがって、第２のカバー５３の突起部５７が確実に第１のカバー４９を固定し、第１のカバー４９が緩んでしまうということはない。
【００１５】
以上のように構成された本発明の一実施の形態におけるポテンショメータについて、以下にその組立方法を説明する。予め軸４０を一体に成型したロータ３９の側面に摺動子４１を取り付け、そのロータ３９を前記軸４０が前記ケース３１の軸受３３と嵌合するように前記ケース３１の内部に装着する。次に基板４５をケース３１の側面に固定し、ロータ３９の摺動子４１と摺接させる。
【００１６】
次にスプリング５１の内側面を前記ロータ３９の保持部４３の外側面と接するように前記ケース３１の内部に挿入する。
【００１７】
次に前記第１のカバー４９で前記スプリング５１の上面を覆うとともに前記第１のカバー４９と前記ケース３１との第１の当接部５９を電気ゴテ（図示せず）等により溶かし込み溶着する。
【００１８】
次に、前記基板４５の抵抗体端子４７と前記ケース３１の前記コネクタ端子３５とを半田付によって電気的に接続する。
【００１９】
次に第２のカバー５３の突起部５７が第１のカバー４９の上面と当接するように覆うとともに、前記第２のカバー５３とケース３１の第２の当接部６１を電気ゴテ（図示せず）等により溶かし込み溶着する。最後に前記当接部６１を密封樹脂５８で密封する。
【００２０】
したがって、前記第１のカバー４９で前記スプリング５１の上面を覆った後に、前記基板４５の抵抗体端子４７と前記ケース３１の前記コネクタ端子３５とを半田付によって電気的に接続するので、半田付時に発生する半田くずが基板４５上に飛散するといったことがなく、出力精度の向上したポテンショメータを提供できるといった作用を有する。
【００２１】
以上のように組立てられたポテンショメータについては、前記軸４０を直線運動させると、その直線運動と一体に摺動子４１が変位する。そして摺動子４１の変位に応じてコネクタ端子３５から出力される信号が変化し、相手側機器（図示せず）に出力される。
【００２２】
【発明の効果】
以上のように本発明は、基板の抵抗体端子とケースのコネクタ端子との半田付により半田くずが発生しても、スプリングの上面を覆う第１のカバーにより基板を覆っているので、基板上に半田くずが飛散するといったことがなく、特性の向上したポテンショメータを提供することができるものである。
【図面の簡単な説明】
【図１】本発明の一実施の形態におけるポテンショメータの断面図
【図２】従来のポテンショメータの断面図
【符号の説明】
３１  ケース
３３  軸受
３５  コネクタ端子
３９  ロータ
４１  摺動子
４５  基板
４７  抵抗体端子
４９  第１のカバー
５１  スプリング
５３  第２のカバー
【図１】
0003692680.tif 000002
【図２】
0003692680.tif 000003